【手続補正書】
【提出日】平成30年8月28日(2018.8.28)
【手続補正１】
【補正対象書類名】明細書
【補正対象項目名】００５３
【補正方法】変更
【補正の内容】
【００５３】
上記構成要素の別の配置、さらには、示されていない、又は記載されていない構成要素及びステップが、可能である。同様に、いくつかの特徴及びサブコンビネーション（ｓｕｂｃｏｍｂｉｎａｔｉｏｎ）は有用であり、他の特徴及びサブコンビネーションに言及することなく、用いられ得る。本発明の実施形態は、限定するためでなく例示のために説明されており、代わりとなる実施形態が本特許の読者には明らかであろう。したがって、本発明は、上で記載された又は図に描かれた実施形態には限定されず、様々な実施形態及び変更が、本発明の範囲から逸脱することなく成され得る。
付記
＜１＞
非難燃性セルロース系フィラメント糸を含み、ＡＳＴＭ  Ｄ６４１３に従って試験した場合に、４インチ以下の炭化長及び２秒間以下の残炎時間を有する、難燃性布地。
＜２＞
非難燃性セルロース系フィラメント糸がレーヨンを含む、＜１＞に記載の難燃性布地。
＜３＞
複数の難燃性紡績糸をさらに含む、＜１＞に記載の難燃性布地。
＜４＞
複数の難燃性紡績糸の少なくともいくつかが、ＦＲモダクリル繊維を含む、＜３＞に記載の難燃性布地。
＜５＞
複数の難燃性紡績糸の少なくともいくつかが、３０〜９０％のＦＲモダクリル繊維を含む、＜４＞に記載の難燃性布地。
＜６＞
複数の難燃性紡績糸の少なくともいくつかが、セルロース系繊維及び、ＦＲモダクリル繊維以外の固有難燃性の繊維の少なくとも１つをさらに含む、＜４＞に記載の難燃性布地。
＜７＞
複数の紡績糸の少なくともいくつかが、４０〜７０％のＦＲモダクリル繊維、約３０〜
４０％のセルロース系繊維、及び約１０〜１５％のアラミド繊維を含む、＜６＞に記載の難燃性布地。
＜８＞
セルロース系フィラメント糸を含み、機械方向及び幅方向を有し、ＩＳＯ  １７４９３に従って試験した場合に、機械方向及び幅方向のいずれにおいても熱収縮が１０％以下である、難燃性布地。
＜９＞
セルロース系フィラメント糸が、難燃性セルロース系フィラメント糸を含む、＜８＞に記載の難燃性布地。
＜１０＞
セルロース系フィラメント糸が、難燃性レーヨンフィラメント糸を含む、＜９＞に記載の難燃性布地。
＜１１＞
難燃性セルロース系フィラメント糸が布地における第１の糸を構成し、布地が第１の糸とは異なる第２の糸をさらに含み、難燃性セルロース系フィラメント糸と第２の糸との両方が、布地の機械方向又は幅方向の一方に備えられる、＜９＞に記載の難燃性布地。
＜１２＞
第２の糸がフィラメント糸を含む、＜１１＞に記載の難燃性布地。
＜１３＞
第２の糸が、固有難燃性の材料を含むフィラメント糸を含む、＜１２＞に記載の難燃性布地。
＜１４＞
固有難燃性の材料が、パラ−アラミド、メタ−アラミド、ＰＢＩ，ＰＢＯ、又は液晶ポリマー材料を含む、＜１３＞に記載の難燃性布地。
＜１５＞
布地が、第１の糸及び第２の糸とは異なる第３の糸をさらに含み、第３の糸が紡績糸である、＜１１＞に記載の難燃性布地。
＜１６＞
第２の糸が紡績糸を含む、＜１１＞に記載の難燃性布地。
＜１７＞
布地の機械方向又は幅方向の一方において、難燃性セルロース系フィラメント糸１５本毎に、少なくとも１本の第２の糸を含む、＜１１＞に記載の難燃性布地。
＜１８＞
第２の糸が、固有難燃性の材料を含むフィラメント糸を含み；
布地が難燃性の第３の糸をさらに含み、難燃性の第３の糸は紡績糸であり；
難燃性セルロース系フィラメント糸と第２の糸との両方が、布地の機械方向又は幅方向の一方に備えられ；
第３の糸が、布地の機械方向又は幅方向の他方に備えられる；
＜１１＞に記載の難燃性布地。
＜１９＞
第２の布地に取り付けられた第１の布地を含む難燃性複合布地であって、第１の布地がセルロース系フィラメント糸を含み、複合布地が、ＩＳＯ  １７４９３に従って試験した場合に、１０％以下の熱収縮を有する、難燃性複合布地。
＜２０＞
ＡＳＴＭ  Ｄ６４１３に従って試験した場合に、４インチ以下の炭化長及び２秒間以下の残炎時間を有するサーマルライナーである、＜１９＞に記載の難燃性複合布地。
＜２１＞
第１の布地及び第２の布地が取り付けられる第３の布地をさらに含む、＜１９＞に記載の難燃性複合布地。
＜２２＞
セルロース系フィラメント糸がレーヨンを含む、＜１９＞に記載の難燃性複合布地。
＜２３＞
セルロース系フィラメント糸が、非難燃性セルロース系フィラメント糸を含む、＜１９＞に記載の難燃性複合布地。
＜２４＞
第１の布地が、ＦＲモダクリル繊維を含む複数の難燃性紡績糸をさらに含む、＜２３＞に記載の難燃性複合布地。
＜２５＞
セルロース系フィラメント糸が、難燃性セルロース系フィラメント糸を含む、＜１９＞に記載の難燃性複合布地。
＜２６＞
難燃性セルロース系フィラメント糸が、第１の布地における第１の糸を構成し、第１の布地が、第１の糸とは異なる第２の糸をさらに含む、＜２５＞に記載の難燃性複合布地。
＜２７＞
第１の布地が機械方向及び幅方向をさらに含み、難燃性セルロース系フィラメント糸と第２の糸との両方が、第１の布地の機械方向又は幅方向の一方に備えられる、＜２６＞に記載の難燃性複合布地。
＜２８＞
第２の糸が、固有難燃性の材料を含むフィラメント糸を含む、＜２６＞に記載の難燃性複合布地。
＜２９＞
第１の布地が、第１の糸及び第２の糸とは異なる第３の糸をさらに含み、第３の糸が難燃性紡績糸である、＜２８＞に記載の難燃性複合布地。
＜３０＞
難燃性セルロース系フィラメント糸と第２の糸との両方が、第１の布地の機械方向又は幅方向の一方に備えられ；
少なくとも１本の第２の糸が、機械方向又は幅方向の一方における難燃性セルロース系フィラメント糸１５本毎に、機械方向又は幅方向の一方に備えられ；
第３の糸が、第１の布地の機械方向又は幅方向の他方に備えられる；
＜２９＞に記載の難燃性複合布地。
【手続補正２】
【補正対象書類名】特許請求の範囲
【補正対象項目名】全文
【補正方法】変更
【補正の内容】
【特許請求の範囲】
【請求項１】
セルロース系フィラメント糸を含み、機械方向及び幅方向を有し、ＩＳＯ  １７４９３に従って試験した場合に、機械方向及び幅方向のいずれにおいても熱収縮が１０％以下である、難燃性布地。
【請求項２】
セルロース系フィラメント糸が非難燃性セルロース系フィラメント糸を含み、難燃性布地が、ＡＳＴＭ  Ｄ６４１３に従って試験した場合に、４インチ（10.16 cm）以下の炭化長及び２秒間以下の残炎時間を有する、請求項１に記載の難燃性布地。
【請求項３】
非難燃性セルロース系フィラメント糸がレーヨンを含む、請求項２に記載の難燃性布地。
【請求項４】
複数の難燃性紡績糸をさらに含む、請求項２又は３に記載の難燃性布地。
【請求項５】
複数の難燃性紡績糸の少なくともいくつかが、ＦＲモダクリル繊維を含む、請求項４に記載の難燃性布地。
【請求項６】
複数の難燃性紡績糸の少なくともいくつかが、３０〜９０％のＦＲモダクリル繊維を含む、請求項５に記載の難燃性布地。
【請求項７】
複数の難燃性紡績糸の少なくともいくつかが、セルロース系繊維及び、ＦＲモダクリル繊維以外の固有難燃性の繊維の少なくとも１つをさらに含む、請求項５に記載の難燃性布地。
【請求項８】
複数の紡績糸の少なくともいくつかが、４０〜７０％のＦＲモダクリル繊維、３０〜４０％のセルロース系繊維、及び１０〜１５％のアラミド繊維を含む、請求項７に記載の難燃性布地。
【請求項９】
セルロース系フィラメント糸が、難燃性セルロース系フィラメント糸を含む、請求項１に記載の難燃性布地。
【請求項１０】
難燃性セルロース系フィラメント糸が、難燃性レーヨンフィラメント糸及び難燃性リヨセルフィラメント糸の少なくとも1つを含む、請求項９に記載の難燃性布地。
【請求項１１】
難燃性セルロース系フィラメント糸が布地における第１の糸を構成し、布地が第１の糸とは異なる第２の糸をさらに含む、請求項９又は１０に記載の難燃性布地。
【請求項１２】
難燃性セルロース系フィラメント糸と第２の糸との両方が、布地の機械方向又は幅方向の一方に備えられる、請求項１１に記載の難燃性布地。
【請求項１３】
布地の機械方向又は幅方向の一方において、難燃性セルロース系フィラメント糸１５本毎に、少なくとも１本の第２の糸を含む、請求項１２に記載の難燃性布地。
【請求項１４】
第２の糸が、フィラメント糸、紡績糸、及び牽切糸の少なくとも１つを含む、請求項１１〜１３のいずれか１項に記載の難燃性布地。
【請求項１５】
第２の糸が、固有難燃性の材料を含む、請求項１１〜１４のいずれか１項に記載の難燃性布地。
【請求項１６】
固有難燃性の材料が、パラ−アラミド、メタ−アラミド、ＰＢＩ、ＰＢＯ、及び液晶ポリマー材料の少なくとも１つを含む、請求項１５に記載の難燃性布地。
【請求項１７】
布地が、第１の糸及び第２の糸とは異なる第３の糸をさらに含み、第３の糸が紡績糸である、請求項１１〜１６のいずれか１項に記載の難燃性布地。
【請求項１８】
第２の糸が、フィラメント糸、紡績糸、及び牽切糸の少なくとも１つを含み；
第２の糸が、固有難燃性の材料を含み；
布地が難燃性の第３の糸をさらに含み、難燃性の第３の糸は紡績糸であり；
難燃性セルロース系フィラメント糸と第２の糸との両方が、布地の機械方向又は幅方向の一方に備えられ；
第３の糸が、布地の機械方向又は幅方向の他方に備えられる；
請求項１１に記載の難燃性布地。
【請求項１９】
第２の布地に取り付けられた第１の布地を含む難燃性複合布地であって、第１の布地が請求項１〜１８のいずれか１項に記載の難燃性布地である、難燃性複合布地。
【請求項２０】
サーマルライナーであり、第１の布地及び第２の布地が取り付けられる第３の布地をさらに含む、請求項１９に記載の難燃性複合布地。